(57)【要約】【課題】部品費、組み立て工程手間、操作部材の配置空間の無駄を省き、装置を小型化・低価格化する。【解決手段】上面外装パネル１４０操作部材２００を備え、操作部材２００は、保持凹部１９０で保持され、操作部材２００を第１姿勢、第１姿勢と異なる角度をなす第２姿勢に配置でき、操作部材は、保持凹部に保持された状態で、操作部材を第１姿勢で固定する第１位置、および操作部材を第２姿勢で固定する第１姿勢と異なる位置である第２位置、のうちの１つの位置で後部ねじ１８１、１８１によって上面外装パネルに締結できるように構成され、後部ねじ１８１、１８１を締結する位置を変えて固定することで、操作部材２００の姿勢を第１姿勢および第２姿勢のいずれかに配置する。【選択図】図３
2014232306.tif 000002
【特許請求の範囲】
【請求項１】
上面外装部材に操作者が操作指示を行う操作部材を備えた画像形成装置であって、
前記操作部材は、前記上面外装部材に形成された保持凹部に奥側を高くした傾斜角度で配置され、
前記操作部材は、前記保持凹部に、操作指示を行う表面部が前記上面外装部材に対して所定の傾斜角度をなす第１姿勢、および前記第１姿勢と異なる傾斜角度をなす第２姿勢に配置でき、
前記操作部材は、前記保持凹部に保持された状態で、前記操作部材を前記第１姿勢で固定する第１位置、および前記操作部材を前記第２姿勢で固定する第２位置のうちの１つの位置で取り付け部材によって前記上面外装部材の裏側から前記上面外装部材に固定できるように構成され、
前記取り付け部材を取り付ける位置を選択することで、前記操作部材の姿勢を前記第１姿勢および前記第２姿勢のいずれかに配置可能であることを特徴とする画像形成装置。
【請求項２】
前記取り付け部材は、前記保持凹部の底壁部の最下端位置より下方に突出しない状態で配置されることを特徴とする請求項１に記載の画像形成装置。
【請求項３】
前記取り付け部材を前記保持凹部に対して、装置本体の高さ方向に対応した方向から挿入して前記操作部材を前記上面外装部材に前記第１位置で固定する状態、
または前記取り付け部材を前記保持凹部に対して、装置本体の幅方向に対応した方向から挿入して前記操作部材を前記上面外装部材に前記第２位置で固定する状態、
を設定できることを特徴とする請求項１または請求項２に記載の画像形成装置。
【請求項４】
前記操作部材の前記奥側が、前記取り付け部材で前記上面外装部材に取り付けられ、
前記操作部材の操作者立ち位置側が、前記保持凹部に形成された一方のかみ合い部と前記操作部材の手前側面部に形成した他方のかみ合い部とをかみ合わせた状態、および前記上面外装部材の裏面から前記取り付け部材で固定した状態のうち少なくとも一方の状態で前記上面外装部材に固定される、
ことを特徴とする請求項１ないし請求項３のいずれか一項に記載の画像形成装置。
【請求項５】
前記操作部材の奥側面部は、前記操作部材が前記第１姿勢であるとき、および前記操作部材が前記第２姿勢であるとき、いずれのときにも前記保持凹部の前記奥側面部との間隔がほぼ一定である形状であることを特徴とする請求項１ないし請求項４のいずれか一項に記載の画像形成装置。
【請求項６】
前記操作部材の奥側面部および両横側面部には、下方に向け延びる板部を備えることを特徴とする請求項１ないし請求項５のいずれか一項に記載の画像形成装置。
【請求項７】
前記操作部材の両横側面部が備える板部は前記保持凹部の底面に向かう方向に延びる平板であり、装置本体の高さ方向に対応する方向の寸法が前記奥側より操作者立ち位置側が小さいことを特徴とする請求項６に記載の画像形成装置。
【請求項８】
前記操作部材の両横側面部の少なくとも一方の側面に、外部記録媒体を接続する記録媒体接続部を備えたことを特徴とする請求項１ないし請求項７のいずれか一項に記載の画像形成装置。
【請求項９】
前記取り付け部材は、締結部材であり、
前記保持凹部の底面には、前記操作部材に向けて立設され、装置本体の幅方向に対応する方向に沿って前記締結部材を取り付け可能な取付突起を形成し、
前記保持凹部の前記底面に対向して配置される前記操作部材の底面部には、前記保持凹部に向け立設され、置本体の幅方向に対応する方向に沿って前記締結部材を挿入可能な締結部材挿入穴を設けた被固定部を形成した、
ことを特徴とする請求項１ないし請求項８のいずれか一項に記載の画像形成装置。
【請求項１０】
前記第２姿勢は、前記第１姿勢よりも傾斜角度が大きく、
前記操作部材が前記上面外装部材に前記第２姿勢で固定されるとき、
前記締結部材は、前記被固定部の締結部材挿入穴を通り、前記取付突起に取り付けられることを特徴とする請求項９に記載の画像形成装置。
【発明の詳細な説明】
【技術分野】
【０００１】
本発明は、上面外装部材に角度調整可能な操作部材を備えた画像形成装置に関する。
【背景技術】
【０００２】
画像形成装置では操作者の視線位置や操作しやすさを考慮して、操作部材が装置本体の上面外装に対して所定角度傾斜した状態で固定されている場合が多い。
【０００３】
しかし、固定された操作部材では、操作部材に配置され各種表示が行われる表示部に室内灯の映り込みや反射などが発生し、視認しにくくなることがある。また、上述した画像形成装置の操作部材は装置上面に設置されている場合が多く、車いす使用者では操作部材の設置位置が高すぎて操作できないことがある。
【０００４】
そこで、操作部材を装置本体の外装に対して角度可変となるように角度可変機構を備えたものが提案されている。特許文献１には、液晶画面を有する表示部を備えた電子写真装置において、前記電子写真装置本体に対する液晶画面の姿勢を変化させる姿勢変化手段を備えたものが記載されている。
【発明の概要】
【発明が解決しようとする課題】
【０００５】
しかし、特許文献１に記載のものでは、操作部材の側面や下面に回転軸部材を設けて操作部材を角度変化させるため、構造が複雑になりがちで小型化や部品費がかさむという問題がある。
【０００６】
本発明は上述の点にかんがみてなされたものであり、部品費を抑え、装置を小型化できる画像形成装置を提供することを目的とする。
【課題を解決するための手段】
【０００７】
本発明に係る画像形成装置は、上面外装部材に操作者が操作指示を行う操作部材を備えた画像形成装置であって、前記操作部材は、前記上面外装部材に形成された保持凹部に奥側を高くした傾斜角度で配置され、前記操作部材は、前記保持凹部に、操作指示を行う表面部が前記上面外装部材に対して所定の傾斜角度をなす第１姿勢、および前記第１姿勢と異なる傾斜角度をなす第２姿勢に配置でき、前記操作部材は、前記保持凹部に保持された状態で、前記操作部材を前記第１姿勢で固定する第１位置、および前記操作部材を前記第２姿勢で固定する第２位置のうちの１つの位置で取り付け部材によって前記上面外装部材の裏側から前記上面外装部材に固定できるように構成され、前記取り付け部材を取り付ける位置を選択することで、前記操作部材の姿勢を前記第１姿勢および前記第２姿勢のいずれかに配置可能であることを特徴とする。
【発明の効果】
【０００８】
本発明によれば、回転軸や支持する構造体を必要とせず、部品費を抑え、装置を小型化できる。
【図面の簡単な説明】
【０００９】
【図１】本発明の実施形態に係る画像形成装置の外観を示す斜視図である。
【図２】同画像形成装置のトナー交換用開閉扉を開いた状態を示す斜視図である。
【図３】同画像形成装置における操作部材の状態を示すものであり、（ａ）は第１姿勢を示す斜視図、（ｂ）は第２姿勢を示す斜視図である。
【図４】同画像形成装置における上面外装パネルの表面側を示す斜視図である。
【図５】同画像形成装置における上面外装パネルの裏面側を示す拡大斜視図である。
【図６】同画像形成装置における操作部材を示すものであり、（ａ）は裏面側を示す斜視図、（ｂ）は方向を変えて裏面側を示す斜視図である。
【図７】同画像形成装置における操作部材の要部を下側から示す斜視図である。
【図８】同画像形成装置の第１姿勢にある操作部材を示すものであり、（ａ）は側面図、（ｂ）は断面図、（ｃ）は拡大断面図である。
【図９】同画像形成装置の第２姿勢にある操作部材を示すものであり、（ａ）は側面図、（ｂ）は断面図、（ｃ）は拡大断面図である。
【図１０】同画像形成装置において上面外装パネルに操作部材を第１姿勢で取り付けた状態を裏面側から示す斜視図である。
【図１１】同画像形成装置において上面外装パネルに操作部材を第１姿勢で取り付けた状態を裏面側から示す拡大斜視図である。
【図１２】図１１に示した状態で操作部材を後部ねじで固定した状態を示す拡大斜視図である。
【図１３】同画像形成装置において上面外装パネルに操作部材を第２姿勢で取り付けた状態を裏面側から示す斜視図である。
【図１４】同画像形成装置において上面外装パネルに操作部材を第２姿勢で取り付けた状態を裏面側から示す拡大斜視図である。
【図１５】図１４に示した状態で操作部材を後部ねじで固定した状態を示す拡大斜視図である。
【発明を実施するための形態】
【００１０】
以下、本発明を実施するための形態に係る画像形成装置について説明する。まず、画像形成装置の全体構造について説明する。図１は本発明の実施形態に係る画像形成装置を示す斜視図、図２は同画像形成装置のトナー交換用開閉扉を開いた状態を示す斜視図である。この画像形成装置１００は、原稿を光学的に読み取る原稿読取部１１０、記録媒体である用紙に電子写真方式で画像を形成する画像形成部１２０、用紙をサイズ別に格納する用紙収納部１３０を備える。また、画像形成装置１００は、画像形成装置の操作指示を行う操作部材２００を備える。操作部材２００は、画像形成装置１００の原稿読取部１１０の操作者立ち位置側（手前側）側上面に幅方向（左右方向）に沿って配置され上面外装部材である上面外装パネル１４０に配置される。なお、図中に手前側をＦ、奥側をＢ、右側をＲ、左側をＬで示した。
【００１１】
原稿読取部１１０の上面には、原稿読取面としてコンタクトガラス１１１、枠部材１１２が配置される。原稿読取部１１０の上側には、原稿をコンタクトガラス１１１に押し付ける押圧板や、自動原稿搬送装置（ＡＤＦ）が配置される（共に図示していない）。
【００１２】
画像形成部１２０は、イエロー、マゼンタ、シアン、ブラックの４色のトナーを用いてフルカラーでトナー像を形成する画像形成手段、トナー像を用紙に定着する定着装置を格納している。用紙収納部１３０は、例えばサイズ別に４段の給紙トレイ１３１、１３２、１３３、１３４が配置される。給紙トレイ１３１、１３２、１３３、１３４には各サイズの用紙束を格納している。
【００１３】
画像形成装置１００は、図示していない用紙搬送装置を備えている。用紙収納部１３０の給紙トレイ１３１、１３２、１３３、１３４に格納された用紙は、用紙搬送装置によって１枚ずつ画像形成部１２０に搬送され、トナー像形成処理、定着処理がなされ、図示されていない排紙トレイに排紙される。また、用紙搬送装置は両面印刷のために用紙を反転する反転装置を備える。反転装置は、用紙を用紙収納部１３０に隣接したパージ部１３５に配置し、用紙の搬送方向を変更して反転を行う。
【００１４】
また、画像形成装置１００には、内部で詰まった用紙を機外に取り出すため、複数の開閉扉を備える。すなわち、画像形成部１２０には二次転写部引き出し部１２１、手差し給紙用開閉扉１２２、用紙収納部１３０には用紙収納部開閉扉１３６、反転装置のパージ部１３５にはパージ部開閉扉１３７を備える。さらに、二次転写部引き出し部１２１の上側には、トナー交換用開閉扉１２３を備える。
【００１５】
図２に示すように、トナー交換用開閉扉１２３の奥側には、イエロートナー容器１５１、マゼンタトナー容器１５２、シアントナー容器１５３、ブラックトナー容器１５４が配置されている。各トナー容器１５１、１５２、１５３、１５４の上面は上面外装パネル１４０の下側に隙間なく配置されている。これにより、各トナー容器１５１、１５２、１５３、１５４の容量を最大のものとできる。また、上面外装パネル１４０に操作部材２００を配置する場合、操作部材２００の回転軸部材を上面外装パネル１４０の下側に配置することができない状態である。
【００１６】
以下、上面外装パネル１４０と操作部材２００について説明する。図３は同画像形成装置における操作部材の状態を示すものであり、（ａ）は第１姿勢を示す斜視図、（ｂ）は第２姿勢を示す斜視図、図４は同画像形成装置における上面外装パネルの表面側を示す斜視図、図５は同画像形成装置における上面外装パネルの裏面側を示す拡大斜視図である。また、図６は同画像形成装置における操作部材を示すものであり、（ａ）は裏面側を示す斜視図、（ｂ）は方向を変えて裏面側を示す斜視図、図７は同画像形成装置における操作部材の要部を裏面側から示す斜視図である。さらに、図８は同画像形成装置の第１姿勢にある操作部材を示すものであり、（ａ）は側面図、（ｂ）は断面図、（ｃ）は拡大断面図、図９は同画像形成装置の第２姿勢にある操作部材を示すものであり、（ａ）は側面図、（ｂ）は断面図、（ｃ）は拡大断面図である。
【００１７】
図４に示すように、上面外装パネル１４０の幅方向中央には、保持凹部１９０が形成されている。操作部材２００は、保持凹部１９０に配置される。操作部材２００は、図３に示すように、操作用部材として表面部２０３にタッチパネル２０１、テンキーボタン、スタートキーボタン等の操作ボタン２０２等を備える。操作部材２００は、操作性を考慮して、表面部２０３を、前下がりに傾斜させて配置される。また、上面外装パネル１４０において、操作部材２００の右側には、水平に形成された平面部１４１を形成している。また、操作部材２００の左側には、原稿をとじていたクリップ等を置くへこみ部１４２、１４３を形成している。
【００１８】
画像形成装置１００では、上面外装パネル１４０に操作部材２００を第１姿勢（図３（ａ）、図８参照）と、第２姿勢（図３（ｂ）、図９参照）の２つの姿勢を選択して取り付けることができる。画像形成装置１００の出荷状態では、操作部材２００は、第１姿勢で取り付けられている。第１姿勢では、操作部材２００は、奥側が操作者立ち位置側より高く、表面部２０３が上面外装パネル１４０に対して手前下がり配置される。このとき、表面部２０３は、上面外装パネル１４０の平面部１４１に対して所定の角度、例えば１２°となるように配置される。
【００１９】
そして、設置先において、例えば照明の映り込みを防止するため、操作部材２００の取り付け状態を変更して第２姿勢に配置可能である。このとき、操作部材２００の表面部２０３は、上面外装パネル１４０の平面部１４１に対して第１姿勢のときと異なる傾斜角度、例えば１７°となるように配置される。このような操作部材２００の姿勢の変更は、顧客の要望により設置の際、あるいはアフターサービスの際サービスマンが行う。
【００２０】
なお、図３に示すように、操作部材２００の左側面部２１７Ｌには、外部記録媒体を接続する記録媒体接続部として、ＵＳＢフラッシュメモリーを挿入するＵＳＢ受け口２３１、およびＳＤメモリーカードを装入するメモリーカードスロット２３２が配置されている。この例では、ＳＤメモリーカードより厚さがあるＵＳＢフラッシュメモリーの差し込みを容易にするため、ＵＳＢ受け口２３１は上面外装パネル１４０との間隔寸法をとりやすい奥側に配置している。また、図３（ｂ）に示すように、操作部材２００を第２姿勢とすると、ＵＳＢ受け口２３１、メモリーカードスロット２３２と上面外装パネル１４０との間隔が広がり、ＵＳＢ受け口２３１に大きな厚さ寸法のＵＳＢフラッシュメモリーを装入しやすくなる。
【００２１】
上面外装パネル１４０と、操作部材２００の構造について説明するのに先立ち、上面外装パネル１４０と操作部材２００の固定に使用する取り付け部材について説明する。画像形成装置１００において、操作部材２００を第１姿勢および第２姿勢のいずれの姿勢で取り付ける場合でも、操作部材２００は、取り付け部材である２本の後部ねじ１８１、１８１で固定され、手前側を取り付け部材である２本の前部ねじ１８２、１８２で固定される（図８、図９参照）。後部ねじ１８１および前部ねじ１８２は、異なる部材を貫いて配置され、前記異なる部材を固定する締結部材として上面外装パネル１４０と操作部材２００とを固定する。
【００２２】
まず、上面外装パネル１４０の構造について説明する。図４および図５に示すように、上面外装パネル１４０には、保持凹部１９０が形成される。底壁部１７０は、奥側から第１底壁部１７１、第２底壁部１７２、第３底壁部１７３、第４底壁部１７４を備えて構成される。第４底壁部１７４には、操作部材２００を第１姿勢および第２姿勢で取り付けるとき前部ねじ１８２、１８２が挿入されるねじ挿入穴１４４、１４４が形成される。また、第１底壁部１７１には、操作部材２００を第１姿勢で取り付けるとき、後部ねじ１８１、１８１が取り付けられる、上面外装パネル１４０の裏面側に突出している凸部１７８、１７８が形成される。この凸部１７８、１７８には、後部ねじ１８１、１８１を挿入する締結部材挿入穴であるねじ穴１７８ａと、操作部材２００の位置決めを行う位置決め穴１７８ｂとが形成される（図５参照）。
【００２３】
さらに、図４および図５に示すように、第１底壁部１７１には、操作部材２００を第２姿勢で取り付けるとき、後部ねじ１８１、１８１を取り付ける取付突起１７９、１７９が立設されている。この取付突起１７９には、後部ねじ１８１がねじ込まれるねじ穴１７９ａが形成されている。さらに、この取付突起１７９、１７９に隣接して第１底壁部１７１には、穴部１４５、１４５が開設されている。
【００２４】
そして、保持凹部１９０は、底壁部１７０、操作者側に位置する手前側壁部１７５、手前側壁部１７５と反対側に位置する奥側壁部１７６、手前側壁部１７５と奥側壁部１７６とを連結する両横側壁部である左壁部１７７Ｌ、右壁部１７７Ｒを備える。この左壁部１７７Ｌ、右壁部１７７Ｒには、操作部材２００を第２姿勢にするとき、後部ねじ１８１、１８１を水平方向から差し込んで、工具で締結するための工具孔１８３、１８３が開設されている。
【００２５】
さらに、図８（ｃ）および、図９（ｃ）に示すように、上面外装パネル１４０の手前側壁部１７５には、後述する操作部材２００の突起部２２１、２２１が入り込む、かみ合い部としての孔部１８０、１８０が開設されている。
【００２６】
次に操作部材２００について説明する。図６および図８（ｂ）に示すように、操作部材２００は、前述した表面部２０３、この表面部２０３と反対側であり、保持凹部１９０に対向して配置される底面部２１０、操作者の立ち位置側の手前側面部２１５、手前側面部２１５と反対側の奥側面部２１６を備える。また操作部材２００は、手前側面部２１５と奥側面部２１６とを連結する両横側面部である左側面部２１７Ｌ、右側面部２１７Ｒを備える。操作部材２００の底面部２１０は、奥側から第１底面部２１１、第２底面部２１２、第３底面部２１３、第４底面部２１４を備えて構成される。第１底面部２１１、第２底面部２１２、第３底面部２１３、第４底面部２１４は、全体として表面部２０３に対して、手間側に向けて近接するように形成される。
【００２７】
また、図６および図７に示すように、第１底面部２１１には、操作部材２００を第１姿勢として固定するとき、後部ねじ１８１、１８１を装置本体の高さ方向に対応した方向（図７のＬ、Ｒ方向およびＦ、Ｂ方向に交差する方向）から締結する垂直方向固定部２１８、２１８が配置される。垂直方向固定部２１８、２１８は、表面部２０３に対して下方に向け設けられる。
【００２８】
また、図６および図７に示すように、第１底面部２１１には、操作部材２００を第２姿勢として固定するとき、後部ねじ１８１、１８１を装置本体の幅方向に対応した方向（図７のＬ，Ｒ方向）から締結する第２位置を構成する固定部である水平方向被固定部２２０、２２０が下方に向け突出形成される。この水平方向被固定部２２０、２２０には、後部ねじ１８１が挿入可能な水平方向締結部材挿入穴であるねじ挿入穴２２０ａが開設される。第１底面部２１１には、操作部材２００を第１姿勢にしたとき、後述する取付突起１７９、１７９が装入される開口２２４、２２４が開設される。
【００２９】
さらに、図６および図８（ｂ）に示すように、第４底面部２１４には、前部ねじ１８２、１８２が締結される前側固定部２１９、２１９が形成されている。なお、第１姿勢においても第２姿勢においても、前側固定部２１９、２１９には、前部ねじ１８２、１８２がねじ込まれる。
【００３０】
そして、図６、図８（ｃ）、および図９（ｃ）に示すように、手前側面部２１５には、他方のかみ合い部であり、手前側に突出する２つの上述した突起部２２１、２２１が形成される。この突起部２２１、２２１は、一方のかみ合い部である孔部１８０、１８０に装入され、操作部材２００の手前側を前部ねじ１８２、１８２とともに上面外装パネル１４０に固定する。なお、突起部２２１、２２１と、孔部１８０、１８０の凹凸関係を逆とし、手前側面部２１５に孔部を、手前側壁部１７５に凸部を形成してもよい。
【００３１】
また、図６、図８（ｂ）、および図９（ｂ）に示すように、奥側面部２１６は、操作部材２００が第１姿勢であるとき、および第２姿勢であるとき、いずれのときにも保持凹部１９０の奥側壁部１７６と間隔がほぼ一定である形状例えば円筒面となるように構成される。この間隔は小さければ小さいほどよい。なお、奥側面部２１６の形状は、円筒面に限らず、操作部材２００の姿勢が変更されたとき、奥側面部２１６との間隔が同じであればどのような形状でもよい。
【００３２】
さらに、図６、図８（ｂ）、および図９（ｂ）に示すように、操作部材２００の奥側面部２１６および左側面部２１７Ｌおよび右側面部２１７Ｒには、下方に向け延ばされた平板な板部として後方板部２２２、左側板部２２３Ｌ、右側板部２２３Ｒを備える。この後方板部２２２、左側板部２２３Ｌ、右側板部２２３Ｒは、操作部材２００が第２姿勢にされたとき、図９（ｂ）に示すように、操作部材２００の奥側と、保持凹部１９０の奥側壁部１７６との間に隙間が発生するのを防止する。これにより、操作部材２００と保持凹部１９０との間にクリップ等の異物が侵入するのを防止する。
【００３３】
図６に示すように、左側板部２２３Ｌ、右側板部２２３Ｒは、装置本体の高さ方向に対応した方向（図６のＬ，Ｒ方向およびＦ，Ｂ方向に交差する方向）の寸法が、奥側より操作者立ち位置側（Ｆ方向側）が小さく形成されている。左側板部２２３Ｌ、右側板部２２３Ｒも操作部材２００と、左壁部１７７Ｌ、右壁部１７７Ｒとの隙間をふさぎ、異物の侵入を防止する。
【００３４】
次に、操作部材２００を各姿勢に固定する手順を図８から図１５に基づいて説明する。まず、操作部材２００を第１姿勢（図８参照）にする場合について説明する。図１０は同画像形成装置において上面外装パネルに操作部材を第１姿勢で取り付けた状態を裏面側から示す斜視図、図１１は同画像形成装置において上面外装パネルに操作部材を第１姿勢で取り付けた状態を裏面側から示す拡大斜視図、図１２は図１０に示した状態で操作部材を後部ねじで固定した状態を示す拡大斜視図である。画像形成装置１００は出荷時において操作部材２００を上面外装パネル１４０に第１姿勢で取り付けられる。
【００３５】
まず、操作部材２００を第１姿勢で底壁部１７０に配置する。このとき、図８（ｂ）に示すように、後方板部２２２の下端を第１底壁部１７１、垂直方向固定部２１８、２１８の先端を凸部１７８、１７８に接触させる。また、第２底面部２１２を第２底壁部１７２に接触させ、第４底面部２１４を第４底壁部１７４に、手前側面部２１５を手前側壁部１７５に接触させる。このとき、水平方向被固定部２２０、２２０は、第１底壁部１７１の穴部１４５、１４５に装入される。一方、取付突起１７９、１７９は、操作部材２００の開口２２４、２２４に装入される。これにより図１１に示すように、垂直方向固定部２１８、２１８に隣接して形成された位置決め部２４１、２４１の先端突起２４２，２４２が上面外装パネル１４０の位置決め穴１７８ｂ、１７８ｂに入り込み、操作部材２００の位置を決める。
【００３６】
この状態で、操作部材２００の突起部２２１、２２１を上面外装パネル１４０の孔部１８０、１８０に装入する。そして、図１２に示すように、後部ねじ１８１、１８１を、上面外装パネル１４０の裏面側から、上面外装パネル１４０の凸部１７８、１７８のねじ穴１７８ａ、１７８ａおよび操作部材２００の垂直方向固定部２１８、２１８に挿入して締結する。これにより、後部ねじ１８１、１８１は、第１位置に取り付けられる。
【００３７】
また、前部ねじ１８２、１８２をねじ挿入穴１４４、１４４から前側固定部２１９、２１９にねじ込む。後部ねじ１８１、１８１および前部ねじ１８２、１８２は、保持凹部１９０の裏面側から垂直方向にねじ込むので、組み立て作業者は工具を鉛直方向に操作することができるので、作業が容易である。
【００３８】
組み立てが完了すると、操作部材２００は、上面外装パネル１４０の保持凹部１９０に第１姿勢で固定される。この状態で、保持凹部１９０の手前側壁部１７５、奥側壁部１７６、左壁部１７７Ｌ、右壁部１７７Ｒと、操作部材２００の手前側面部２１５、奥側面部２１６、左側面部２１７Ｌ、右側面部２１７Ｒとの各隙間は小さい。このため、クリップなどの異物の侵入が防止される。
【００３９】
次に操作部材２００を第２姿勢（図９参照）にする場合について説明する。図１３は同画像形成装置において上面外装パネルに操作部材を第２姿勢で取り付けた状態を裏面側から示す斜視図、図１４は同画像形成装置において上面外装パネルに操作部材を第２姿勢で取り付けた状態を裏面側から示す拡大斜視図、図１５は図１４に示した状態で操作部材を後部ねじで固定した状態を示す拡大斜視図である。この設定は、操作部材２００を第１姿勢で取り付けた画像形成装置１００が納入設置された後、使用者の要望に基づいてサービスマンが行う。
【００４０】
操作部材２００を第２姿勢にするとき、サービスマンは、上面外装パネル１４０を操作部材２００ごと、画像形成装置１００の本体から取り外し、後部ねじ１８１、１８１を取り外し、前部ねじ１８２、１８２をゆるめる。そして、操作部材２００を保持凹部１９０に第２姿勢にして固定する。この状態で、操作部材２００は、図９（ｂ）、（ｃ）、および図１４に示す状態で保持凹部１９０に配置される。
【００４１】
第２姿勢では、手前側面部２１５は、手前側壁部１７５に近接配置され、突起部２２１、２２１は、孔部１８０、１８０に入り込んでいる。また、後方板部２２２の先端は第１底壁部１７１から離れるが、後方板部２２２と奥側壁部１７６との間には大きな隙間は発生しない。同様に、左側板部２２３Ｌ、右側板部２２３Ｒと、左壁部１７７Ｌ、右壁部１７７Ｒとの間には大きな隙間は発生しない。
【００４２】
そして、第２底面部２１２と第２底壁部１７２、第３底面部２１３と第３底壁部１７３、第４底面部２１４と第４底壁部１７４との間には、若干の隙間が形成される。この状態で、後部ねじ１８１、１８１を工具で工具孔１８３、１８３から挿入して、図１５に示すように、水平方向被固定部２２０、２２０と取付突起１７９、１７９に取り付け、固定する。これにより、後部ねじ１８１、１８１は、第１位置以外の第２位置に取り付けられたことになる。
【００４３】
なお、前部ねじ１８２、１８２を使用しないで、操作部材２００を上面外装パネル１４０に固定している場合には、突起部２２１、２２１を孔部１８０、１８０に装入したまま操作部材２００を第２姿勢にして、後部ねじ１８１、１８１で固定する。これにより、操作部材２００は、上面外装パネル１４０の保持凹部１９０に第２姿勢で固定される。
【００４４】
本実施形態では、後部ねじ１８１、１８１および前部ねじ１８２、１８２は、第１姿勢および第２姿勢のいずれ姿勢で取り付けた場合でも、保持凹部１９０の最下端位置２１０ａ（図８（ｂ）参照）より下方に突出しない。このため、前部ねじ１８２、１８２によって前部ねじ１８２、１８２の直下に配置されるトナー収納スペースの容量が小さくなることを防止できる。
【００４５】
また、本実施形態に係る画像形成装置１００は、操作部材２００を第１姿勢および第２姿勢のいずれの姿勢で取り付けた場合でも、操作部材２００は、上面外装パネル１４０の保持凹部１９０に表面側から配置される。そして、いずれの姿勢でも、上面外装パネル１４０の裏面側から、その奥側を２本の締結部材である後部ねじ１８１、１８１で固定され、手前側を２本の前部ねじ１８２、１８２で固定される。このとき、後部ねじ１８１、１８１および前部ねじ１８２、１８２は、上面外装パネル１４０の裏側から操作部材２００を固定する。このため、後部ねじ１８１、１８１および前部ねじ１８２、１８２の少なくとも頭部が上面外装パネル１４０に覆われて外部からは視認できないため、ユーザーが不要に後部ねじ１８１、１８１および前部ねじ１８２、１８２を操作することが防止される。
【００４６】
なお、いずれの姿勢でも、操作部材２００の手前側は、保持凹部１９０の一方のかみ合い部である孔部１８０と、操作部材２００の他方のかみ合い部である突起部２２１をかみ合わせて固定されている。なお、操作部材２００の手前側での固定は、前部ねじ１８２、１８２だけ、あるいはかみ合い部同士のかみ合いだけで行うことができる。
【００４７】
以上のように、本実施形態に係る画像形成装置１００によれば、操作部材２００の姿勢を変更するための構造が上面外装パネル１４０の下方に飛び出ることがない。このため、上面外装パネル１４０の直下にあるトナー容器１５１、１５２、１５３、１５４の容積を確保しやすい。
【００４８】
また、操作部材２００の姿勢を変更する機構として、複雑な構成を必要とせず、コンパクトで美観を損ねない。さらに、回転軸やトルクヒンジ等の部品を必要とせず部品費を削減できる。さらに、締結部材や締結用の孔等が外部から見えないため、美観を損ねない。また、操作部材２００の姿勢を変化させても、操作部材２００と保持凹部１９０との隙間を一定に保て、隙間寸法を最小限にでき、クリップやペンなど異物の落下が防止でき、美観も損ねない。
【００４９】
なお、上記実施形態では操作部材２００を第１姿勢および第２姿勢の２段階に姿勢を設置できる例について説明したが、操作部材２００を３段階以上の姿勢で設置するものとできる。この場合、取付突起１７９に高さ方向位置が異なる２つ以上のねじ穴を、または、水平方向被固定部２２０、２２０に高さ方向位置が異なる２つ以上のねじ挿入穴を形成する。そして、任意の位置において後部ねじで固定する。これにより、操作部材２００を上面外装パネル１４０の保持凹部１９０に複数姿勢のうちの所望の姿勢に固定することができる。
【００５０】
また、上記実施形態では、取り付け部材はねじ等の締結部材として説明したが、取り付け部材としては他の部材を使用することができる。すなわち、取り付け部材としては、ピン部材およびフック部材同士がかみ合う係止部材、フック状の部材が密集した面部材およびループ状の部材が密集した面部材を備える面ファスナ（例えばマジックテープ（登録商標））、磁力で操作部材と面外装部材とを取り付ける磁石等を使用することができる。
【符号の説明】
【００５１】
１００：画像形成装置
１２０：画像形成部
１３０：用紙収納部
１４０：上面外装パネル（上面外装部材）
１４１：平面部
１４５：穴部
１６０：原稿搬送装置
１７０：底壁部
１７５：手前側壁部
１７６：奥側壁部
１７７Ｌ：左壁部
１７７Ｒ：右壁部
１７８：凸部
１７８ａ：ねじ穴
１７９：取付突起
１７９ａ：前部ねじ穴
１８０：孔部
１８１：後部ねじ（取り付け部材）
１８２：前部ねじ（取り付け部材）
１８３：工具孔
１９０：保持凹部
２００：操作部材
２０３：表面部
２１０：底面部
２１５：手前側面部
２１６：奥側面部
２１７Ｌ：左側面部
２１７Ｒ：右側面部
２１８：垂直方向固定部
２１９：前側固定部
２２０：水平方向被固定部（被固定部）
２２０ａ：ねじ挿入穴（水平方向締結部材挿入穴）
２２１：突起部
２２２：後方板部
２２３Ｌ：左側板部
２２３Ｒ：右側板部
２２４：開口
【先行技術文献】
【特許文献】
【００５２】
【特許文献１】特開２００１−２４２６７３公報
【図１】
2014232306.tif 000003
【図２】
2014232306.tif 000004
【図３】
2014232306.tif 000005
【図４】
2014232306.tif 000006
【図５】
2014232306.tif 000007
【図６】
2014232306.tif 000008
【図７】
2014232306.tif 000009
【図８】
2014232306.tif 000010
【図９】
2014232306.tif 000011
【図１０】
2014232306.tif 000012
【図１１】
2014232306.tif 000013
【図１２】
2014232306.tif 000014
【図１３】
2014232306.tif 000015
【図１４】
2014232306.tif 000016
【図１５】
2014232306.tif 000017